(57)【要約】  【課題】  撮像生成された画像データを画像記録再生機器に高速、無劣化により転送可能な記録フォーマットにより被写体の画像データ生成が可能な電子カメラ装置を提供する。  【解決手段】  被写体を撮像して生成した映像信号を基に、複数の映像フレームからなる映像グループ（ＧＯＰ）を多数有するデジタル映像データを生成し、このデジタル映像データの映像グループ内の所定の映像フレーム（Ｐピクチャ）に関するアドレス情報を各映像グループのヘッダ（ＳＨ）に設けたデジタル映像データ生成手段と、このデジタル映像データを記録媒体に記録させる電子カメラ装置。  【選択図】  図１
2005277591.tif 000002
【特許請求の範囲】
【請求項１】
被写体を撮像して映像信号を生成する撮像手段と、
この撮像手段からの映像信号を基に、複数の映像フレームからなる映像グループを多数有するデジタル圧縮画像データを生成すると共に、このデジタル圧縮画像データの映像グループ内の所定の映像フレームに関するアドレス情報を各映像グループのヘッダ部に設けたデジタル圧縮画像データ生成手段と、
このデジタル圧縮画像データ生成手段により生成されたデジタル圧縮画像データを記録媒体に記録させる記録手段と、
を具備したことを特徴とする電子カメラ装置。
【請求項２】
前記記録媒体に記録されたデジタル圧縮画像データは、各種データ転送回線を介して各種画像記録再生機器にデジタル圧縮画像データの状態で高速データ転送することを特徴とした請求項１に記載の電子カメラ装置。
【請求項３】
前記記録媒体に記録されたデジタル圧縮画像データは、各種画像記録再生機器に各種データ転送回線を介して接続されたクレードルによりデジタル圧縮画像データの状態で高速データ転送することを特徴とした請求項１に記載の電子カメラ装置。
【請求項４】
前記デジタル圧縮画像データは、Ｉピクチャから始まる複数の映像フレームからなる映像グループ毎の最初のＰピクチャと、次のＰピクチャのアドレス情報を各映像グループのヘッダ部に設けたことを特徴とする請求項１乃至３のいずれかに記載の電子カメラ装置。
【請求項５】
被写体を撮像して生成した映像信号を基に、複数の映像フレームからなる映像グループを多数有するデジタル圧縮画像データを生成すると共に、このデジタル圧縮画像データの映像グループ内の所定の映像フレームに関するアドレス情報を各映像グループのヘッダ部に設けたデジタル圧縮画像データを生成して記録媒体に記録することを特徴とした撮像信号生成方法。
【請求項６】
前記記録媒体に記録されたデジタル圧縮画像データは、各種データ転送回線を介して各種画像記録再生機器にデジタル圧縮画像データの状態で高速データ転送することを特徴とした請求項５に記載の撮像信号生成方法。
【請求項７】
前記記録媒体に記録されたデジタル圧縮画像データは、各種画像記録再生機器に各種データ転送回線を介して接続されたクレードルによりデジタル圧縮画像データの状態で高速データ転送することを特徴とした請求項５に記載の撮像信号生成方法。
【請求項８】
前記デジタル圧縮画像データは、Ｉピクチャから始まる複数の映像フレームからなる映像グループ毎の最初のＰピクチャと、次のＰピクチャのアドレス情報を各映像グループのヘッダ部に設けたことを特徴とする請求項５乃至７のいずれかに記載の撮像信号生成方法。
【発明の詳細な説明】
【技術分野】
【０００１】
本発明は、電子カメラにおいて撮像して記録したデジタル画像データを各種外部記録装置に高速転送可能な電子カメラ装置に関する。
【背景技術】
【０００２】
従来から撮像素子により被写体を撮像して生成した動画像や静止画像信号をデジタル処理して、そのデジタル画像データを記録媒体に記録し、その記録されたデジタル画像データを再生する画像記録再生装置として、例えば、デジタル画像データを磁気テープにシーケンシャルに記録するデジタルビデオカメラが実用化されている。
【０００３】
また、近年、パーソナルコンピュータとインターネットの普及により、ハードディスク、光ディスク、半導体メモリ等のランダムアクセス可能な記録媒体を用いたデジタルビデオカメラやデジタルスチールカメラ等の電子カメラも実用化されている。
【０００４】
特に最近は、デジタルスチールカメラにおいて、連写機能により一定時間の動画像と静止画像の両画像の撮像記録が可能となっている。この動画像と静止画像を記録媒体に記録する方法としては、動画用の磁気テープに静止画像を記録したり、静止画像を動画とは別の記録媒体である半導体メモリに記録したり、あるいは、光ディスクやハードディスクに記録することが行われている。
【０００５】
このような各種記録媒体にデジタル画像データを記録する際に、撮像画像信号をデジタル信号に変換した後に、そのデジタル信号を圧縮処理してデジタル画像データを生成して、記録媒体に多くの動画像または静止画像データが記録できるようになっている。
【０００６】
このデジタル信号の圧縮方式としては、ＪＰＥＧ，ＭＰＥＧ１，及びＭＰＥＧ２等の方式がある。この圧縮方式を用いて、動画像や静止画像の圧縮処理が施され、シーケンシャルアクセスメディアである磁気テープ、ランダムアクセスメディアであるハードディスク、光ディスク、あるいは半導体メモリに記録されている。
【０００７】
この圧縮方式により記録された動画像や静止画像を再生表示させる画像再生表示装置であるテレビ受像機は、標準テレビの画面アスペクト４：３と、ハイビジョンテレビの画面アスペクト１６：９がある。また、デジタルテレビの規格として垂直解像度により分類される４８０インターレース（以下、Ｉと称する）、４８０プログレッシブ（以下、Ｐと称する）、７２０Ｐ、または１０８０Ｉ等が存在する。
【０００８】
また、このようなテレビ受像機以外に、高解像度のパーソナルコンピュータ用のモニタに再生表示させたり、あるいは、プリンタを用いて静止画像を紙に印刷することも行われる。
【０００９】
つまり、従来の電子カメラは、動画像と静止画像の記録媒体への圧縮記録方式、また、撮像記録したデジタル画像データを出力して再生表示するテレビ受像機やモニタ及びプリンタに対応した記録フォーマットを選択する必要がある。
【００１０】
このため、被写体の撮像記録時に、複数の再生表示側に対応できる、例えば、標準テレビ、ハイビジョンテレビ等に対応した記録フォーマットに従って画像データを生成して記録媒体に記録しておき、その画像データの再生時に、記録媒体に記録されている画像データを再生表示側に応じた画像データに復元出力させる電子カメラが、例えば、特許文献１に提案されている。
【特許文献１】特開２００４−３２１０５号公報
【発明の開示】
【発明が解決しようとする課題】
【００１１】
従来の電子カメラは、再生表示側である再生表示機器に対応した記録フォーマットに従い画像データを生成して記録媒体に記録し、その記録媒体からの画像データを再生する際に、再生表示機器に対応した記録フォーマットに復元して出力させている。しかし、電子カメラ側において、記録できない記録フォーマット、または、復元できない記録フォーマット等の異なる記録フォーマットの再生表示機器の場合には、再生表示機器側において、電子カメラから出力された画像データを自らの再生表示機器において再生表示可能な記録フォーマットへと変換する必要がある。
【００１２】
つまり、電子カメラで撮像記録した画像データを再生表示機器において再生表示させる場合には、電子カメラ側において再生表示機器に対応した記録フォーマットに変換するか、あるいは、再生表示機器側において電子カメラからの画像データを自らの機器に対応可能な記録フォーマットに変換することにより、再生表示が可能となる。
【００１３】
しかし、電子カメラにおいて撮像記録した画像データを特にランダムアクセスメディアであるハードディスク、光ディスク、半導体メモリ等の記録媒体を有する画像記録再生機器に転送させて記録させる場合、所謂ダビングする場合、電子カメラと画像記録再生機器の記録フォーマットが異なる場合には、画像記録再生機器において電子カメラから転送された映像フォーマットの画像データをデコード処理し、そのデコード処理した画像データを自らの記録フォーマットに再変換処理であるエンコードして記録する必要があり、その変換記録にその画像データの実撮像時間と同じ時間を要すると共に、画像データの記録フォーマットの再変換による画質劣化が生じる。
【００１４】
また、パーソナルコンピュータに電子カメラの画像データを転送して、パーソナルコンピュータにおいて、画像データを記録管理したり、再生表示させる場合、パーソナルコンピュータは、電子カメラから転送された画像データの映像フォーマットを一度デコード処理し、更に、パーソナルコンピュータの映像フォーマットに再処理変換させることになり、その再変換処理は電子カメラにおいて撮像した実撮像時間と同じ時間が掛かり、かつ、再変換処理により画質劣化が生じる。
【００１５】
本発明は、このような事情に鑑みてなされたもので、撮像生成された画像データを画像記録再生機器に高速、かつ、無劣化により転送可能な記録フォーマットにより被写体の画像データ生成が可能な電子カメラ装置を提供することを目的としている。
【課題を解決するための手段】
【００１６】
本発明の電子カメラ装置は、被写体を撮像して映像信号を生成する撮像手段と、この撮像手段からの映像信号を基に、複数の映像フレームからなる映像グループを多数有するデジタル圧縮画像データを生成すると共に、このデジタル圧縮画像データの映像グループ内の所定の映像フレームに関するアドレス情報を各映像グループのヘッダ部に設けたデジタル圧縮画像データ生成手段と、このデジタル圧縮画像データ生成手段により生成されたデジタル圧縮画像データを記録媒体に記録させる記録手段とを備え、記録媒体に記録された手時たる圧縮画像データは、各種データ転送回線を介して各種画像記録再生機器にデジタル圧縮画像データの状態で高速データ転送することを特徴としている。
【００１７】
本発明の電子カメラ装置のデジタル圧縮画像データは、Ｉピクチャから始まる複数の映像フレームからなる映像グループ毎の最初のＰピクチャと、次のＰピクチャのアドレス情報を各映像グループのヘッダ部に設けたことを特徴とする。
【００１８】
また、本発明の撮像信号生成方法は、被写体を撮像して生成した映像信号を基に、複数の映像フレームからなる映像グループを多数有するデジタル圧縮画像データを生成すると共に、このデジタル圧縮画像データの映像グループ内の所定の映像フレームに関するアドレス情報を各映像グループのヘッダ部に設けたデジタル圧縮画像データを生成して記録媒体に記録し、その記録媒体に記録されたデジタル圧縮画像データは、各種データ転送回線を介して各種画像記録再生機器にデジタル圧縮画像データの状態で高速データ転送することを特徴としている。
【００１９】
本発明の撮像信号生成方法のデジタル圧縮画像データは、Ｉピクチャから始まる複数の映像フレームからなる映像グループ毎の最初のＰピクチャと、次のＰピクチャのアドレス情報を各映像グループのヘッダ部に設けたことを特徴とする。
【発明の効果】
【００２０】
本発明の電子カメラ装置は、画像記録再生機器において映像フォーマットの再変換処理が不要となり高速無劣化により圧縮画像データの転送が可能となった。
【発明を実施するための最良の形態】
【００２１】
以下、図面を参照して本発明の実施の形態について詳細に説明する。最初に図１を用いて、本発明の一実施形態である電子カメラ装置の構成を説明する。
【００２２】
本発明の電子カメラ３１は、図示していない、固体撮像素子において、被写体像を光電変換して生成したアナログ撮像信号をデジタル撮像信号に変換したＡ／Ｄ出力信号が入力されるカメラ信号処理回路１１、このカメラ信号処理回路１１において処理されたデジタル画像信号をＪＰＥＧ（静止画像の場合）またはＭＰＥＧ（動画像の場合）の方式により圧縮あるいは伸張するＪＰＥＧ／ＭＰＥＧ圧縮伸張回路１２、このＪＰＥＧ／ＭＰＥＧ圧縮伸張回路１２からの圧縮画像データを一時記録するメモリ１３、このメモリ１３に一時記録された圧縮画像データを記録するハードディスク（以下、ＨＤＤと称する）１４及び不揮発性のメモリであるメモリカード１５、メモリ１３に一時記録されている圧縮画像データをデコード処理するビデオレコーダ回路１６、このビデオレコーダ回路１６においてデコードされた画像信号を基に液晶表示パネル（以下、ＬＣＤと称する）１８を駆動制御するＬＣＤドライバ回路１７、ＨＤＤ１４あるいはメモリカード１５に記録されている圧縮画像データを画像記録再生機器とＬＡＮ回線を介して転送するためのＬＡＮ制御回路１９とＬＡＮ出力端子２１、及びＵＳＢ回線を介して転送するためのＵＳＢ制御回路２０とＵＳＢ出力端子２２、及び電子カメラ３１の全体駆動を制御するマイクロプロセッサであるＣＰＵ２３から構成されている。
【００２３】
また、前記ビデオデコーダ回路１６は、前記ＨＤＤ１４またはメモリカード１５に記録されている圧縮画像データを読み出し、ＪＰＥＧ／ＭＰＥＧ圧縮伸張回路１２において伸張した画像データを基にＬＣＤ１８に再生表示させることもできる。
【００２４】
なお、この電子カメラ３１は、図示していない被写体光を固体撮像素子に取り込むための光学レンズ系、被写体の測光と測距による光学レンズ系の焦点や絞り調整、及びシャッタ駆動等を有しているが、本発明に直接関係しないために説明は省略する。
【００２５】
すなわち、ＣＰＵ２３の制御の基で、この電子カメラ３１による静止画像の撮像時には、固体撮像素子において光電変換された静止画像信号は、アナログからデジタルに変換されてカメラ信号処理回路１１に入力される。このカメラ信号処理回路１１において、デジタル静止画像信号は所定の信号処理が施されて、ＪＰＥＧ／ＭＰＥＧ圧縮伸張回路１２へと出力される。このＪＰＥＧ／ＭＰＥＧ圧縮伸張回路１２において、ＪＰＥＧ圧縮処理された静止画像データは、メモリ１３に一時記録され、その一時記録された静止画像データは、ビデオレコーダ回路１６によりデコード処理されてＬＣＤドライバ回路１７を介して、ＬＣＤ１８に撮像された静止画像が再生表示されると共に、ＨＤＤ１４またはメモリカード１５に記録される。
【００２６】
また、ＣＰＵ２３の制御の基で、この電子カメラ３１による動画像の撮像には、固体撮像素子において光電変換された動画像信号は、アナログからデジタルに変換されてカメラ信号処理回路１１に入力される。このカメラ信号処理回路１１において、デジタル動画像信号は所定の信号処理が施されて、ＪＰＥＧ／ＭＰＥＧ圧縮伸張回路１２へと出力される。このＪＰＥＧ／ＭＰＥＧ圧縮伸張回路１２において、ＭＰＥＧ圧縮処理された動画像データは、メモリ１３に一時記録され、その一時記録された動画像データは、ビデオレコーダ回路１６によりデコード処理されてＬＣＤドライバ回路１７を介して、ＬＣＤ１８に撮像された動画像が再生表示されると共に、ＨＤＤ１４またはメモリカード１５に記録される。
【００２７】
ＨＤＤ１４、またはメモリカード１５に記録された圧縮静止画データ、または圧縮動画像データの再生時には、ＨＤＤ１４，またはメモリカード１５から読み出された圧縮静止画像データ、または圧縮動画像データは、ＪＰＥＧ／ＭＰＥＧ圧縮伸張回路１２において伸張処理されて、メモリ１３を介してビデオデコーダ回路１６に出力されて所定のデコード処理が行われてＬＣＤドライバ回路１７よりＬＣＤ１８に静止画、または動画が再生表示されて撮像した画像の確認が行える。
【００２８】
この電子カメラ３１のＨＤＤ１４，またはメモリカード１５に記録した圧縮静止画像データ、または圧縮動画像データを外部の画像記録再生機器であるパーソナルコンピュータやＤＶＤレコーダに転送させる場合には、従来は、例えば、ＨＤＤ１４，またはメモリカード１５に記録されているＭＰＥＧ圧縮されている動画像データをビデオデコーダ回路１６によりデコードしてアナログ画像信号に復調し、その復調したアナログ画像信号を電子カメラに設けられたビデオ端子やＳ端子からＤＶＤレコーダに出力する。ＤＶＤレコーダは、電子カメラから転送されたアナログ画像信号をＤＶＤレコーダのＭＰＥＧ圧縮処理回路において、再度ＭＰＥＧ圧縮処理を行いＤＶＤレコーダの記録媒体であるハードディスクや光ディスクに記録している。
【００２９】
このために、電子カメラにおいて、１時間撮像記録されている動画像データは、その圧縮動画像データをＤＶＤレコーダに転送記録させるためには、撮像時間と同じ１時間の時間が要することになる。また、電子カメラ３１からパーソナルコンピュータにＵＳＢ回線やＬＡＮ回線を用いて動画像データを転送する場合も、前述したＤＶＤレコーダと同じである。
【００３０】
そこで本発明の電子カメラは、例えば、ＤＶＤレコーダにおいて、ＭＰＥＧ圧縮処理フォーマットの映像グループ（ＧＯＰ）のある映像フレームの位置情報をヘッダ部に設けることにより、そのＭＰＥＧ圧縮処理フォーマットの状態のままのストリーミングとして、例えば、ＬＡＮ回線を介してＤＶＤレコーダやパーソナルコンピュータに高速転送させることが可能であることに着目してなされた。
【００３１】
図２に示すように、本発明に係る電子カメラ３１のＬＡＮ出力端子２１をＬＡＮケーブル３５を介してルーター３３に接続し、このルーター３３はＬＡＮケーブル３６を介して、ＤＶＤレコーダ３２に接続されている。なお、ルーター３３を介さずに電子カメラ３１とＤＶＤレコーダ３２を直接接続しても良い。
【００３２】
また、電子カメラ３１は、ビデオケーブル３７によりテレビモニタ３４に接続されている。更に、ＤＶＤレコーダ３２は、ビデオケーブル３８によりテレビモニタ３４に接続されている。
【００３３】
このテレビモニタ３４は、電子カメラ３１から出力された圧縮動画像信号による動画像と電子カメラ３１の動作メニューが表示される。また、テレビモニタ３４の入力を切り換えることにより、ＤＶＤレコーダ３２に記録している動画像やＤＶＤレコーダ３２の動作メニュー等が表示できる。
【００３４】
本発明の電子カメラ３１は、前述した図１に示すＪＰＥＧ／ＭＰＥＧ圧縮伸張回路１２において、動画像信号をＭＰＥＧ圧縮処理する際に、図５に示すように、ＭＰＥＧ２の圧縮処理方式に従い、シーケンスヘッダ（ＳＨ）と映像グループデータ（Ｇｒｏｕｐ  ｏｆ  Ｐｉｃｔｕｒｅｓ、以下、単にＧＯＰと称する）のシーケンス層からなるストリーミングにエンコードされる。このシーケンス層のＧＯＰには、フレーム内符号化画像（Ｉｎｔｒａ−Ｐｉｃｔｕｒｅ、以下、Ｉピクチャと称する）、フレーム間（Ｉｎｔｅｒ）順方向予測符号化画像（Ｐｒｅｄｉｃｔｉｖｅ−Ｐｉｃｔｒｅ、以下、Ｐピクチャと称する）、及び双方予測符号化画像（Ｂｉｄｉｒｅｃｔｉｏｎａｌｌｙ  Ｐｒｅｄｉｃｔｉｖｅ−Ｐｉｃｔｒｅ、以下、Ｂピクチャと称する）からなる１５フレームからなっている。
【００３５】
このＧＯＰにより形成されたＩピクチャから始まるＰピクチャ及びＢピクチャの複数の映像フレームの内、最初のＰピクチャと２番目のＰピクチャのアドレス情報をシーケンスヘッダＳＨに書込記録させることにより、ＤＶＤレコーダ３２は、電子カメラ３１から転送された動画像データがＭＰＥＧ２方式により圧縮処理されたものであることが認識でき、電子カメラ３１から転送された圧縮動画像データを高速にそのままの状態でＤＶＤレコーダ３２の記録媒体に記録できる。このため、ＤＶＤレコーダ３２は、電子カメラ３１からの圧縮動画像データを一度デコード処理し、かつ、再度圧縮画像データにエンコードする必要がなく、圧縮動画像データの高速転送による無劣化転送が可能となった。
【００３６】
なお、転送時間は、従来の電子カメラから転送された圧縮動画像データをＤＶＤレコーダ３２において一度デコードし、そのデコードした動画像データを再度ＤＶＤレコーダの圧縮動画像データにエンコードして記録する際に要した時間に比して、転送時間は１／１０に短縮できる。このため１時間の動画像データを約６分位で高速転送記録できると共に、圧縮動画像データの再エンコード処理を不要とすることでデータの劣化が生じない。
【００３７】
この電子カメラ３１からＤＶＤレコーダ３２への動画像データの転送記録方式の動作について、図３を用いて説明する。
【００３８】
図２に示すように、電子カメラ３１とＤＶＤレコーダ３２とがＬＡＮケーブル３５、３６によりルーター３３に接続されると、電子カメラ３１は、メニュー画面から通信モード設定を読み出しテレビモニタ３７に表示させる（ステップＳ１）、その通信モード設定メニューの基で、ＤＶＤレコーダ３２の識別情報（ＩＤ）であるＭＡＣアドレス等の取得メニュー設定を行う（ステップＳ２）。
【００３９】
一方、ＤＶＤレコーダ３２は、メニュー画面から通信モード設定読み出し（ステップＳ３）、その通信モードの基で、電子カメラ３１の識別情報（ＩＤ）であるＭＡＣアドレスの取得要求を行う（ステップＳ４）。
【００４０】
電子カメラ３１は、ステップＳ２のＩＤ取得メニューにより、ＤＶＤレコーダ３２に対して、自らのＩＤの送信と共に、ＤＶＤレコーダ３２のＩＤの送信要求を行う（ステップＳ５）。ＤＶＤレコーダ３２は、ステップＳ５のＩＤ通信要求に対して、電子カメラ３１のＩＤの認識と、ＤＶＤレコーダ３２のＩＤを電子カメラ３１に返送して、相互のＩＤ交換を行う（ステップＳ６）。
【００４１】
ステップＳ５とＳ６によるＩＤ交換により電子カメラ３１とＤＶＤレコーダ３２とのＩＤ確認がされて、相互の通信が可能であることを認識する（ステップＳ７）。このステップＳ７の相互通信の可能性が確認されると、電子カメラ３１は、ＤＶＤレコーダ３２側の圧縮画像の記録能力確認要求を行う（ステップＳ８）。このステップＳ８の要求に対して、ＤＶＤレコーダ３２は、ＤＶＤレコーダ３２のメーカ名、型式番号、記録媒体の空き容量などの記録能力情報を返信する（ステップＳ９）。
【００４２】
このステップＳ９のＤＶＤレコーダ３２からの記録能力情報の基で、電子カメラ３１は、圧縮画像データの転送が可能であると判定される（ステップＳ１０）と、電子カメラ３１のメニュー画面から転送する圧縮画像データのファィルを選択する（ステップＳ１１）。その選択したファイルの圧縮画像データをＤＶＤレコーダ３２へと転送する（ステップＳ１２）。
【００４３】
電子カメラ３１から転送されたファイルの圧縮画像データは、ＤＶＤレコーダ３２により受信されて記録媒体に圧縮画像データのストリームとして記録する（ステップＳ１３）。このＤＶＤレコーダ３２は、電子カメラ３１から転送されたファイルの圧縮画像データのＤＶＤレコーダ３２への記録状態を電子カメラ３１へと返信して（ステップＳ１４）、そのＤＶＤレコーダ３２において転送されたファイルの記録が正常に行われたことが確認される（ステップＳ１５）と、電子カメラ３１に記録されている他のファイルの圧縮画像データの転送を行うか確認して、転送する他のファィルがある場合は、ステップＳ１１に戻り、転送する他のファィルがない場合は、転送動作を終了させる。
【００４４】
また、電子カメラ３１のＵＳＢ出力端子２２には、圧縮動画像データの受信が可能なパーソナルコンピュータが接続される。このパーソナルコンピュータは、電子カメラ３１から転送された圧縮動画データをパーソナルコンピュータのＨＤＤに一時記録してモニタに動画像表示させて、パーソナルコンピュータに設けられているオーサリング・バーニング・アプリケーションなどを用いて、ＤＶＤ−ＶｉｄｅｏやＤＶＤ−ＶＲに記録させることもできる。
【００４５】
次に、本発明の電子カメラ３１とＤＶＤレコーダ３２とのＬＡＮケーブルにより他の接続方法について、図４を用いて説明する。
【００４６】
図２に示した電子カメラ３１とＤＶＤレコーダ３２との接続は、電子カメラ３１のＬＡＮ出力端子２１にＬＡＮケーブル３５を直接接続した例を示したが、電子カメラ３１にＬＡＮ出力端子２１は、一般的には設けられてなく、ＵＳＢ出力端子２２のみの場合が多い。
【００４７】
一方、クレードル４０には、ＵＳＢ出力端子２２からのデータをＬＡＮ回線により転送可能な変換機能が設けられている。このために、クレードル４０に設けられている機能を用いて、電子カメラ３１のＵＳＢ出力端子２２をクレードル４０に接続させて、クレードル４０からＬＡＮケーブル３５、ルーター３３、ＬＡＮケーブル３６を介してＤＶＤデコーダ３２へと接続させても良い。
【００４８】
すなわち、本発明の電子カメラ３１は、撮像された圧縮画像データをＤＶＤレコーダ３２の記録フォーマットであるＤＶＤ−ＶＲフォーマットに準拠した圧縮画像データに変換して記録媒体に記録する。このＤＶＤ−ＶＲフォーマットの圧縮画像データは、ＤＶＤ−ＲＡＭへの書込記録は何十万回でも画質劣化なく高速に記録でき、実際の被写体の撮像記録時の時間よりも短時間で他のＤＶＤ−ＲＡＭへの転送記録が可能である。また、電子カメラ３１は、前記ＤＶＤ−ＶＲファーマットのデジタル映像データの記録時に、映像グループＧＯＰを構成するＩピクチャ、Ｐピクチャ、Ｂピクチャからなる複数の映像フレームの内、Ｉピクチャから始まる映像フレームの最初のＰピクチャと２番目のＰピクチャのアドレス情報をシーケンスヘッダに設けたことにより、ＤＶＤ−ＶＲフォーマットからＤＶＤ−Ｖｉｄｅｏフォーマットに変換する際に、その最初のＰピクチャと２番目のＰピクチャのアドレス情報を認識することで、ＤＶＤ−ＶＲフォーマットからＤＶＤ−Ｖｉｄｅｏフォーマットに再エンコードすることなく高速転送記録ができる。この高速転送記録は、パーソナルコンピュータにおいても同じで、パーソナルコンピュータのオーサリングソフトによりＤＶＤ−Ｖｉｄｅｏフォーマットへの変換も容易にできる。
【００４９】
よって、電子カメラ３１において撮像して生成記録した圧縮動画像データのＤＶＤレコーダ３２やパーソナルコンピュータにＬＡＮ回線やＵＳＢ回線を用いて無劣化高速転送記録が可能となった。
【００５０】
なお、上述の本発明の実施形態の説明において、動画圧縮画像データを例に説明したが、音声情報を含む静止画像にも適用できることは明らかである。
【図面の簡単な説明】
【００５１】
【図１】本発明の一実施形態である電子カメラ装置の構成を示すブロック図。
【図２】本発明の電子カメラ装置に、ＤＶＤレコーダとテレビモニタをＬＡＮ回線により接続した状態を説明する説明図。
【図３】本発明の電子カメラ装置とＤＶＤレコーダとの間の圧縮画像データの転送動作を説明するフローチャート。
【図４】本発明の電子カメラ装置に、ＤＶＤレコーダとテレビモニタをクレードルを介してＬＡＮ回線により接続した状態を説明する説明図。
【図５】本発明の電子カメラ装置の圧縮画像データの記録フォーマットを説明する説明図。
【符号の説明】
【００５２】
１１  カメラ信号処理部、１２  ＪＰＥＧ／ＭＰＥＧ圧縮伸張回路、１３  メモリ、１４  ハードディス（ＨＤＤ）、１５  メモリカード、１６  ビデオデコーダ回路、１７  ＬＣＤ制御回路、１８  液晶表示パネル（ＬＣＤ）、１９  ＬＡＮ制御回路、２０  ＵＳＢ制御回路、２１  ＬＡＮ出力端子、２２  ＵＳＢ出力端子、３１  電子カメラ。
代理人  弁理士  伊藤  進
【図１】
2005277591.tif 000003
【図２】
2005277591.tif 000004
【図３】
2005277591.tif 000005
【図４】
2005277591.tif 000006
【図５】
2005277591.tif 000007